(57)【要約】【課題】水栓が邪魔になることなく良好に引き出し操作できる濡れ物収納部を備えたキッチンを提供する。【解決手段】シンク２の奥側に、濡れ物を収納できる濡れ物収納部４Ａ，４Ｂを設け、この濡れ物収納部４Ａ，４Ｂ内には、それぞれシンク２側へ引き出し可能に引出し１０，１１を設け、濡れ物収納部４Ａ，４Ｂの上部に、シンク２内へ吐水できる吐水管５を設けて構成する。【選択図】図１
2009261427.tif 000002
【特許請求の範囲】
【請求項１】
シンクの奥側に、濡れた物を収納できる濡れ物収納部を設け、該濡れ物収納部の上部に、前記シンク内へ吐水できる吐水管を設けたことを特徴とするキッチン。
【請求項２】
前記吐水管からの吐水操作を行える操作部を前記シンクに設けたことを特徴とする請求項１に記載のキッチン。
【請求項３】
前記吐水管からの吐水操作を行える操作部を前記濡れ物収納部の前面に設けたことを特徴とする請求項１に記載のキッチン。
【請求項４】
前記濡れ物収納部を横方向に二つ設け、該二つの濡れ物収納部間に前記吐水管を立ち上げたことを特徴とする請求項１または請求項２または請求項３の何れかに記載のキッチン。
【発明の詳細な説明】
【技術分野】
【０００１】
本発明は、濡れ物収納部を設けた作業性の良いキッチンに関するものである。
【背景技術】
【０００２】
従来、特許文献１に開示されているようなキッチンが存在する。
このキッチンは、シンクの後方かつ上方位置に、シンク側に開口した収納凹部が形成されたものであった。
【特許文献１】特開２００３−３１０３６７号公報
【発明の開示】
【発明が解決しようとする課題】
【０００３】
上記従来のキッチンでは、立ち上げられた水栓金具の背側に収納凹部が存在するため、水栓金具が邪魔になって、収納凹部から前面側へ引き出し可能に引出しを設けることができないという問題点があり、水栓金具を避けるためには、水栓金具よりも更に高い位置に引出しを設ける必要があった。
【課題を解決するための手段】
【０００４】
本発明は、水栓が邪魔になることなく良好に引出しをシンク上に引き出すことができ、作業性の向上するキッチンの提供を目的の１つとし、この目的の少なくとも一部を達成するために以下の手段を採った。
本発明のキッチンは、シンクの奥側に、濡れた物を収納できる濡れ物収納部を設け、該濡れ物収納部の上部に、前記シンク内へ吐水できる吐水管を設けたことを要旨とする。
【発明の効果】
【０００５】
本発明のキッチンでは、水栓が邪魔になることなく、シンクの奥側の濡れ物収納部からシンク上に引出しを良好に引き出すことができ、濡れ物収納部内に濡れた物を良好に収納させることができる。また、濡れ物収納部は吐水管よりも下側であるため、濡れ物収納部内への濡れ物の出し入れ等の作業性が向上するものとなる。
【０００６】
また、本発明のキッチンにおいて、前記吐水管からの吐水操作を行える操作部を前記シンクに設けた構成とすることもできる。
こうすれば、シンクに設けた操作部により、吐水管からの吐水，止水，流量調節あるいは温度調節等の操作を行うことができ、吐水管側へ手を伸ばさずに操作を良好に行うことができる。また、濡れた手で吐水管を触る必要がないために、吐水管およびその回りに水滴による汚れが付着しにくいものとなる。
【０００７】
また、本発明のキッチンにおいて、前記吐水管からの吐水操作を行える操作部を前記濡れ物収納部の前面に設けた構成とすることもできる。
こうすれば、濡れた手で操作部を操作しても、操作部を濡らした水はシンクに良好に落ちるため、汚れることが少なくなり、また、吐水管を濡れた手で直接触る必要がないために吐水管およびその回りに水滴による汚れが付着しにくくなる。
【０００８】
また、本発明のキッチンにおいて、前記濡れ物収納部を横方向に二つ設け、該二つの濡れ物収納部間に前記吐水管を立ち上げた構成にすることもできる。
こうすれば、二つの濡れ物収納部間に、下方の給水部等から無理なく給水路等を立ち上げ吐水管に接続することができ、給水路等の配管を短く設定できるものとなる。
【発明を実施するための最良の形態】
【０００９】
次に、本発明を実施するための最良の形態を実施例を用いて説明する。
図１は、キッチンの概略斜視構成図であり、図２は、キッチンの正面構成図、図３は、キッチンの縦断面概略構成図である。
図において、キッチンは、キッチンキャビネット１上にシンク２が設けられ、このシンク２の奥側上方に、濡れ物収納部４がシンク２側へ開口されて設けられている。
キッチンキャビネット１は、その前面に開閉可能に扉１ａが設けられ、この扉１ａと面一状にシンク２の前面を覆う前板１ｂが立設されている。また、キッチンキャビネット１の背板１ｃの上端はシンク２よりも上方へ延出されて、背板１ｃの上端にはシンク２側へ略水平状に対面カウンター３が設けられており、この対面カウンター３の下部に、濡れ物収納部４がシンク２側へ開放されて形成されている。
【００１０】
本例では、この濡れ物収納部４は横方向に二つ形成されており、この二つの濡れ物収納部４Ａ，４Ｂ間は縦方向の立上空間４Ｃとなっている。この立上空間４Ｃ内を通り立上管部５ｂ（ホース等）が立ち上げ状に配管されており、立上管部５ｂの上端には、対面カウンター３に固定された吐水管５が接続されている。吐水管５の先端は逆Ｕ字状に湾曲してシンク２上で開口する吐水口５ａとなっている。
立上管部５ｂはキッチンキャビネット１内に配管されており、その下端側には、背板１ｃ側から給水管６と給湯管７がそれぞれバルブ６ａ，７ａを介して接続されている。このバルブ６ａ，７ａはボックス状の制御部８からの信号で開閉制御されるものであり、制御部８には操作部９からの操作信号が入力されるように構成されている。
【００１１】
本例では、操作部９はシンク２の手前側上面に設けられている。
なお、前記二つの濡れ物収納部４Ａ，４Ｂには、手前側、即ちシンク２上に引き出し可能にそれぞれ網状の引出し１０，１１が設けられており、各引出し１０，１１はレール１０ａ，１１ａによる引出し機構で手前側へスムーズに引き出せるように構成されている。
なお、この引出し１０および１１がそれぞれ収納される濡れ物収納部４Ａ，４Ｂの底部４ａには、シンク２側へ下傾した水勾配が形成されており、濡れ物収納部４Ａおよび４Ｂの底部４ａの水は良好にシンク２内に流れるように構成されている。
【００１２】
なお、操作部９は、横並びの五つのボタンスイッチで構成されており、左端にはＯＮ・ＯＦＦボタン９ａが配置され、その右側にアップ用とダウン用の流量調整ボタン９ｂが設けられ、その右側にアップ用とダウン用の温度調節ボタン９ｃが設けられている。
即ち、ＯＮ・ＯＦＦボタン９ａで、吐水管５の吐水口５ａからの吐水のＯＮ・ＯＦＦ操作ができるものであり、また、流量調整ボタン９ｂにより、吐水口５ａからの吐水の流量を調整することができ、温度調節ボタン９ｃにより、吐水口５ａからの湯温を調節できるものである。即ち、温度調節ボタン９ｃを操作すれば、制御部８を介してバルブ６ａ，７ａの開閉が制御され、湯と水の混合割合が変えられて、立上管部５ｂを通り調整された温度の湯が吐水管５に上昇し、吐水口５ａから適温の湯がシンク２内に吐水されるものである。
【００１３】
本例では、吐水管５は対面カウンター３上、即ち濡れ物収納部４Ａ，４Ｂの上部に立設されているため、吐水管５が邪魔になることなく、良好に濡れ物収納部４Ａあるいは４Ｂから手前側へ引出し１０あるいは１１を引き出して使用することができる。
また、引出し１０，１１はシンク２の上面側で吐水管５よりも下方にあるため、引出し１０，１１の引き出し操作が手前側から行い易く、作業性が向上する。
なお、引出し１０，１１はそれぞれ網状に形成されており、引出し１０，１１内に濡れたコップあるいは茶碗等を入れることができ、水滴は下方のシンク２内に落ちて良好に排水されるものであり、また、引出し１０，１１を濡れ物収納部４Ａ，４Ｂ内に収納させた状態でも、それぞれの濡れ物収納部４Ａ，４Ｂの底部４ａはシンク２側へ傾斜した水勾配が形成されているため、良好に水滴はシンク２内に流れ、シンク２の底に形成されている排水口２ａから排水できるものである。
【００１４】
なお、本例では、キッチンキャビネット１の上面のシンク２の右側には、調理したり物を置いたりできる調理面１ｄが形成されており、この調理面１ｄの奥側の対面カウンター３の下方にも、引出し１２が手前側へ引き出し可能に設けられている。この引出し１２はトレー状のものである。
なお、前記引出し１０，１１は、手前側へ完全に抜き出して、調理面１ｄ上あるいは対面カウンター３上に置いたりすることができ、あるいはトレー状の引出し１２と入れ換えて使用することも可能である。
【００１５】
なお、操作部９と制御部８間を無線で連繋しても良く、例えば電波式，ＩＣタグ式あるいは赤外線式のもので構成することができる。
なお、更には、操作部９は、水平面内で回動させて調整できるダイヤル式のもので構成しても良い。
なお、本例では、操作部９は、シンク２の手前側上面に設けられているが、シンク２の左上面あるいは右上面の何れかに操作部９を配置しても良い。
【００１６】
なお、図４は変更例を示すものであり、図４では、濡れ物収納部４Ａと濡れ物収納部４Ｂ間の立上空間４Ｃ内を通して立上管部５ｂを立ち上げ、立上管部５ｂの上端に、対面カウンター３の前面３ａから略水平に突出した吐水管５を設けたものである。この吐水管５の吐水口５ａはシンク２上に開口され、吐水管５は、濡れ物収納部４Ａおよび４Ｂに設けられている引出し１０，１１の引き出し操作に邪魔にならないように、引出し１０および１１よりも上方位置に略水平に設置されている。
この吐水管５の吐水口５ａからの吐水操作は、シンク２の手前側上面に設けられている操作部９のボタンを操作して行うことができる。
【００１７】
その他の構成は、図１〜図３のものと同一であり、同一部材については同一符号を付してその説明を省略する。
本例においても、立上管部５ｂをコンパクトに短く配管して立上空間４Ｃ内に配置させ、シンク２の奥側の濡れ物収納部４Ａ，４Ｂの上部に吐水管５を設けることができ、引出し１０，１１を手前側へ引き出して操作し、各引出し１０，１１内に濡れた物を収納させることができ、使い勝手が良好なものとなる。
なお、操作部９は手前側にあるため操作が容易であり、濡れた手で吐水管５を触る必要がないために吐水管５およびその回りに水滴が付着しにくく、水滴による汚れが生じにくいものとなる。
【００１８】
次に、図５は異なる変形例を示すものであり、図５では、操作部９を、濡れ物収納部４Ａ，４Ｂの上部、即ち対面カウンター３の前面３ａに配置したものであり、その他の構成は、図１〜図３のものと同様であり、同一部材については同一符号を付してその説明を省略する。
本例では、操作部９が濡れ物収納部４Ａ，４Ｂの前面に設けてあるため、濡れた手で操作部９を操作しても、水滴はシンク２内に落ちるために、操作部９の濡れを気にすることなく良好に操作することができるものとなる。
【００１９】
次に、図６の正面図は更に異なる変形例を示すものであり、図６では、濡れ物収納部４Ａ，４Ｂを横方向に連続させて１個の濡れ物収納部４としたものであり、この横幅の広い濡れ物収納部４内に１個の引出し１３を手前側へ引き出し可能に収納させたものである。
引出し１３は、左右側のレール１３ａ，１３ａでスムーズに手前側、即ちシンク２上に引き出して使用することができ、内部に濡れた茶碗やコップ等を大量に入れることができるものである。
【００２０】
なお、引出し１３の底面には、下方へ突出状に複数の脚１３ｂ，１３ｂが設けられており、この引出し１３を外側へ完全に引き出して他の場所へ置く時に、この脚１３ｂ，１３ｂが置く場所上に当接して良好に水切りが行えるものである。
なお、図６では立上空間４Ｃが存在しないために、対面カウンター３から立ち上げられる吐水管５の下端には、対面カウンター３内を通して横引き状に横引き管部５ｃが配管されており、この横引き管部５ｃは、濡れ物収納部４と引出し１２間の空間を通り下方へ垂下される立上管部５ｂに連通されている。
その他の構成は、図１〜図３のものと同様であり、同一部材については同一符号を付してその説明を省略する。
【図面の簡単な説明】
【００２１】
【図１】キッチンの斜視構成図である。
【図２】図１のキッチンの正面構成図である。
【図３】図１の縦断面概略構成図である。
【図４】異なる吐水管を設けた変更例のキッチンの斜視構成図である。
【図５】更に異なる変更例のキッチンの斜視構成図である。
【図６】更に異なる変更例のキッチンの正面構成図である。
【符号の説明】
【００２２】
１  キッチンキャビネット
１ａ  扉
２  シンク
２ａ  排水口
３  対面カウンター
３ａ  前面
４，４Ａ，４Ｂ  濡れ物収納部
４Ｃ  立上空間
４ａ  底部
５  吐水管
５ａ  吐水口
５ｂ  立上管部
５ｃ  横引き管部
６  給水管
６ａ，７ａ  バルブ
７  給湯管
８  制御部
９  操作部
１０，１１，１２，１３  引出し
１１ａ，１３ａ  レール
【図１】
2009261427.tif 000003
【図２】
2009261427.tif 000004
【図３】
2009261427.tif 000005
【図４】
2009261427.tif 000006
【図５】
2009261427.tif 000007
【図６】
2009261427.tif 000008